(57)【要約】【課題】  無線通信に用いるアンテナを内蔵した撮像装置に関して、無線通信の通信性能を低下させることを抑制するようにアンテナを配置しつつ、誤って落下させてしまった場合でもアンテナを保護する外装が破損することを抑制することが可能な撮像装置を提供すること。【解決手段】  無線通信の送受信をおこなうためのアンテナと、アクセサリーを取り付けるためのアクセサリー取付け部と、を備えた撮像装置であって、アクセサリー取付け部が設けられている方向に突出して設けられ、アンテナを覆うことで保護するためのアンテナ保護部を有し、アンテナ保護部は金属材料とは異なる材料からなり、アクセサリー取付け部が配置されている方向において、アンテナは、金属材料からなる撮像装置の外装部よりも突出した位置に配置され、アクセサリー取付け部の最外部は、アンテナ保護部の最外部よりも突出した位置に配置されていることを特徴とする構成とした。【選択図】  図６
2014240898.tif 000002
【特許請求の範囲】
【請求項１】
無線通信の送受信をおこなうためのアンテナと、
アクセサリーを取り付けるためのアクセサリー取付け部と、を備えた撮像装置であって、
前記アクセサリー取付け部が設けられている方向に突出して設けられ、前記アンテナを覆うことで保護するためのアンテナ保護部を有し、
前記アンテナ保護部は金属材料とは異なる材料からなり、
前記アクセサリー取付け部が配置されている方向において、
前記アンテナは、金属材料からなる撮像装置の外装部よりも突出した位置に配置され、
前記アクセサリー取付け部の最外部は、前記アンテナ保護部の最外部よりも突出した位置に配置されていることを特徴とする撮像装置。
【請求項２】
前記アクセサリー取付け部はアクセサリーシューであって、前記アクセサリー取付け部が配置されている方向を上方向とした場合に、
前記アンテナは、前記アクセサリー取付け部の近傍に位置し、前記外装部よりも高い位置に配置され、
前記アンテナ保護部の最外部は、前記アクセサリー取付け部の最外部より低い位置に配置されることを特徴とする請求項１に記載の撮像装置。
【請求項３】
前記アクセサリー取付け部は、アイカップが取付け可能なアイピースカバーであって、
前記アンテナは、前記アクセサリー取付け部の近傍に位置し、前記外装部よりも被写体から遠い位置に配置され、
前記アンテナ保護部の最外部は、前記アクセサリー取付け部の最外部よりも被写体から近い位置に配置されることを特徴とする請求項１に記載の撮像装置。
【請求項４】
前記アンテナ保護部は、前記アクセサリー取付け部の土台部分と一体的に構成される事を特徴とする請求項１乃至請求項３の何れか一項に記載の撮像装置。
【請求項５】
前記アンテナ保護部は、横幅がアクセサリー取付け部の横幅より狭い事を特徴とする請求項１乃至請求項４の何れか一項に記載の撮像装置。
【請求項６】
無線通信をおこなうための通信手段を有し、
前記アクセサリー取付け部のシンクロ接点を通過させるための開口に、前記アンテナと前に通信手段とを接続する信号線を通過させることを特徴とする請求項１乃至請求項５の何れか一項に記載の撮像装置。
【請求項７】
前記アンテナ保護部は、前記アクセサリー取付け部の突出した部分から、前記アクセサリー取付け部材が配置されている方向の前記外装部への接線の内側に配置されることを特徴とする請求項１乃至請求項６の何れか一項に記載の撮像装置。
【請求項８】
前記アンテナ保護部は、樹脂材料からなることを特徴とする請求項１乃至請求項７の何れか一項に記載の撮像装置。
【発明の詳細な説明】
【技術分野】
【０００１】
本発明は、他の機器と無線通信をおこなうためのアンテナを内蔵した撮像装置に関する。
【背景技術】
【０００２】
従来、撮像装置において、撮像装置とアクセサリーやコンピュータ等の外部装置、他の撮像装置との間で、無線通信により画像信号等の情報の送受信をおこなう無線通信手段を有するものが一般的に知られている。
【０００３】
このような撮像装置としては、各種規格に準拠したＧＰＳ受信ユニットなどの無線通信手段と接続されたアンテナを、装置内部に通信性が低下しないように配置することが望ましい。そこで、特許文献１では、撮像装置の使用時にユーザーの手が触れにくく、撮像装置外面に露出した位置に無線アンテナを配置させた撮像装置について提案されている。
【０００４】
また、特許文献２では、ペンタプリズムの上部にアンテナ部を配置させた撮像装置について提案されている。
【先行技術文献】
【特許文献】
【０００５】
【特許文献１】特開２００１−１５７０９９号公報
【特許文献２】特開２０００−７５３８１号公報
【発明の概要】
【発明が解決しようとする課題】
【０００６】
ここで、近年の撮像装置においては、外観の高級感や強度を高めるために、外装部に金属材料を採用することが一般的である。
【０００７】
しかしながら、アンテナによって送受信される電波は金属材料を透過することは困難であるため、特許文献１並びに特許文献２において、例えば撮像装置の外装部を金属材料で形成した場合は、アンテナ部での無線通信ができない可能性がある。
【０００８】
上述の問題を解決するための手段として、撮像装置の外装部のうち、アンテナ部を保護するための外装部には金属材料を使用しないように構成することも考えられる。
【０００９】
しかしながら、例えば、ユーザーが撮像装置を使用している際に、誤って該撮像装置を落下させてしまった場合、該アンテナ部を保護するための外装部は金属材料を使用していないため破損し易いという問題がある。
【００１０】
本発明の目的は、無線通信の通信性能を低下させることを抑制するようにアンテナを配置しつつ、誤って落下させてしまった場合でもアンテナを保護する外装部が破損することを抑制することが可能な撮像装置を提供するものである。
【課題を解決するための手段】
【００１１】
上記目的を達成するために、本発明による撮像装置は、無無線通信の送受信をおこなうためのアンテナと、アクセサリーを取り付けるためのアクセサリー取付け部と、を備えた撮像装置であって、前記アクセサリー取付け部が設けられている方向に突出して設けられ、前記アンテナを覆うことで保護するためのアンテナ保護部を有し、前記アンテナ保護部は金属材料とは異なる材料からなり、前記アクセサリー取付け部が配置されている方向において、前記アンテナは、金属材料からなる撮像装置の外装部よりも突出した位置に配置され、前記アクセサリー取付け部の最外部は、前記アンテナ保護部の最外部よりも突出した位置に配置されていることを特徴とする。
【発明の効果】
【００１２】
本発明によれば、無線通信の通信性能を低下させることを抑制するようにアンテナを配置しつつ、誤って落下させてしまった場合でもアンテナを保護する外装部が破損することを抑制することができる。
【図面の簡単な説明】
【００１３】
【図１】本発明の第１実施形態に係る撮像装置の前面斜視図を例示的に示す図である。
【図２】本発明の第１実施形態に係る撮像装置の背面斜視図を例示的に示す図である。
【図３】本発明の第１実施形態に係る撮像装置の上部を拡大した背面斜視図とアイカップを例示的に示した図である。
【図４】本発明の第１実施形態に係る撮像装置の上部の上面方向の部分分解斜視図を例示的に示した図である。
【図５】本発明の第１実施形態に係る撮像装置の上部の下面方向の部分分解斜視図を例示的に示した図である。
【図６】本発明の第１実施形態に係る一撮像装置の上部の中央断面図を例示的に示した図である。
【図７】本発明の第１実施形態に係る撮像装置の上部正面図を例示的に示した図である。
【図８】本発明の第２実施形態に係る撮像装置の上部の中央断面図を例示的に示した図である。
【発明を実施するための形態】
【００１４】
（第１実施形態）
以下、本発明の第１実施形態について図１〜図３を参照して説明する。
【００１５】
図１、図２及び図３は本実施形態に係る撮像装置であるカメラ本体１の外観を示した図である。
【００１６】
ここで、図１はカメラ本体１を前面側から見た斜視図であって、撮影レンズユニットを外した状態を示している。図２はカメラ本体１を背面側から見た図である。図３はカメラ本体１の背面から見た背面上部側を拡大した拡大背面斜視図である。
【００１７】
尚、以下の説明においては、撮影方向と直交した方向のうち、後述するアクセサリーシュー１２が設けられている方向を、カメラ本体１における上部とする。
【００１８】
図１において、カメラ本体１はマグネシウム合金などの金属材料でその外装部が構成されている。
【００１９】
グリップ部１ａは、撮影時にユーザーがカメラ本体１を安定して握り易いように前方に突出したグリップ部分である。
【００２０】
マウント部２は、不図示の撮影レンズユニットをカメラ本体１に着脱可能に固定させるためのマウント部である。
【００２１】
マウント部２の内面側に設けられたマウント接点３は、カメラ本体１に撮影レンズユニットが取り付けられた状態で、カメラ本体１と撮影レンズユニットとの間で制御信号、状態信号等の信号通信をおこなう。また、撮影レンズユニット側に対する電力の供給もおこなう。
【００２２】
レンズロック解除釦４は、ユーザーによって押し込まれることで撮影レンズユニットをカメラ本体１から取り外すことが可能な押釦である。
【００２３】
ミラーボックス５はカメラ本体１の筐体内に配置され、撮影レンズユニットによって撮影された被写体の撮影光束をクイックリターンミラー６へと導く。
【００２４】
クイックリターンミラー６はミラーボックス５の内部に配置され、ミラーボックス５によって導かれた撮影光束を後述のペンタプリズム２９へと導く。
【００２５】
尚、クイックリターンミラー６は、撮影光軸に対して４５°の角度に保持され、後述するペンタプリズム２９へと撮影光束を導く状態と、撮影光束から退避し、不図示の撮像素子へと撮影光束を導く状態とを取り得る。シャッタボタン７は撮影開始の起動スイッチであり、第１ストローク（例えば、半押し状態）で被写体に対するＡＦ等の処理がおこなわれ、第２ストローク（例えば、全押し）で撮影開始の指示等の処理をおこなう。
【００２６】
メイン操作ダイヤル８は、ダイヤル操作によってシャッタスピードなどの設定をおこなう。
【００２７】
メニュー釦９は、撮影における各種の設定をおこなうためのメニューモードを呼び出すための釦である。
【００２８】
外部液晶表示部１０は、ユーザーによるメイン操作ダイヤル８やメニュー釦９、後述するサブ操作ダイヤル２１の操作に応じて、設定された内容を表示することが出来る表示部である。尚、後述する図２に示すカラー液晶モニタ２０に表示するような構成であってもよい。
【００２９】
カメラ本体１の上部中央には、カメラ本体１に対して不図示の外付けストロボなどのアクセサリー類を取り付け可能なアクセサリー取付け部であるアクセサリーシュー１２が設けられている。また、該アクセサリーシュー１２の内部には金属材料からなるシンクロ接点１１ａが設けられている。
【００３０】
アクセサリーシューベース１１は、アクセサリーシュー１２の土台部分であり、樹脂材料で形成されている。
【００３１】
更に、アクセサリーシュー１２の前方には、本実施形態におけるアンテナ保護部であり、アンテナ１０１を覆うことでアンテナ１０１の保持と保護をするアンテナカバー１１ｂが設けられている。
【００３２】
尚、アンテナカバー１１ｂと、アクセサリーシュー１２の土台部分であるアクセサリーシューベース１１とは一体的に形成されているが本実施形態はこれに限定されるものではない。
【００３３】
例えば、アンテナカバー１１ｂとアクセサリーシューベース１１が、それぞれ独立して設けられているような構成でもよい。
【００３４】
アクセサリーシュースプリング１３は、アクセサリーシュー１２とアクセサリーシュー１２に取り付けられる任意のアクセサリーとの間でフリクションを発生させるためのバネである。
【００３５】
通信釦１５は、カメラ本体１のグリップ部１ａと反対側の上部に設けられており、ユーザーによる該通信釦１５の押下げ動作に応じて、外部機器との無線通信をおこなうことができる。
【００３６】
また、グリップ部１ａと反対側の側面には、不図示の開閉可能な外部端子蓋があり、外部端子蓋の内部には、外部への接続が可能なＨＤＭＩ（登録商標）出力用端子１６とＵＳＢ出力用コネクタ１７が設けられている。
【００３７】
ＨＤＭＩ（登録商標）出力用端子１６とＵＳＢ出力用コネクタ１７の下側には、カメラ本体１の内部の各部へ供給される電力の電源となる電池１８が設けられている。尚、つまみ１８ａは電池１８をカメラ本体１から取り外すためのつまみである。
【００３８】
以下、図２及び図３を参照してカメラ本体１の背面部の構成について説明する。
【００３９】
カメラ背面側の上部には、樹脂材料で形成されたアイピースカバー１９があり、中央部には、後述のペンタプリズム２９によって導かれた被写体像を観察するための接眼窓１９ａが設けられている。
【００４０】
接眼窓１９ａの左右には、アイカップ３００を取り付けるための取り付け溝１９ｂが設けられている。
【００４１】
接眼窓１９ａの下側には、前述したように、メイン操作ダイヤル８やメニュー釦９、後述のサブ操作ダイヤル２１の操作によって設定された内容や、撮影した画像の表示が可能なカラー液晶モニタ２０が設けられている。
【００４２】
カラー液晶モニタ２０の横に配置されたサブ操作ダイヤル２１は、メイン操作ダイヤル８の補助的な役割を担い、メイン操作ダイヤル８で設定可能な内容はこのサブ操作ダイヤル２１でも設定可能である。
【００４３】
尚、メイン操作ダイヤル８とサブ操作ダイヤル２１で設定可能な情報は必ずしも同じである必要はなく、それぞれ別々の情報を設定するような構成であっても良い。
【００４４】
また、このサブ操作ダイヤル２１は、カラー液晶モニタ２０に表示された撮影画像の選択にも用いられる。
【００４５】
メインスイッチ２２はカメラの電源をＯＮ、ＯＦＦする為のスイッチである。
【００４６】
再生ボタン２３は撮影された撮影画像（静止画像や動画像）を再生させる再生釦である。
【００４７】
拡大釦２４と縮小釦２５は、ユーザーの操作に応じて、表示された撮影画像の拡大および縮小をおこなうための釦である。
【００４８】
セット釦２６は、メニュー釦９とメイン操作ダイヤル８、サブ操作ダイヤル２１をユーザーが操作することで選択可能な撮影条件等の設定を確定させる釦である。
【００４９】
メディアカバー１ｃは、カメラ本体１の外観の一部を構成し、カメラ本体１に着脱可能なメモリを収納する収納部のカバーである。また、操作つまみ２７は、メディアカバー１ｃの開閉操作をおこなうためのつまみである。
【００５０】
以下、図４、図５を参照して、本実施形態に係る撮像装置の上側部分であり、送受信回路１００とアンテナ１０１とが配置されているカメラ本体１上部の構成を説明する。
【００５１】
尚、図４は本実施形態に係る撮像装置のカメラ本体１の上部を、カメラ本体１の下方向から覗いた場合の部分分解斜視図であり、前述の図と共通する部分は同じ記号で示している。
【００５２】
また、図５は本実施形態に係る撮像装置のカメラ本体１上部を、カメラ本体１の上方向から覗いた場合の部分分解斜視図であり、前述の図と共通する部分は同じ記号で示している。
【００５３】
尚、図４及び図５は、カメラ本体１の外装部のうち、特にアクセサリーシュー１２の拡大部分を示した図である。
【００５４】
カメラ本体１の外装部の上面には、アクセサリーシューベース１１の信号線であるシンクロ接点１１ａを通過させるための開口１ｂと、その周囲４か所にはビス穴１ｅが開けられている。
【００５５】
アクセサリーシューベース１１は前述したように樹脂材料で形成されており、その中央には金属材料であるシンクロ接点１１ａがインサート成形または圧入などにより一体的に構成されている。
【００５６】
アクセサリーシュー１２の近傍であって、アクセサリーシューベース１１の前方にはアンテナ１０１の保持と保護のために、前述したアンテナカバー１１ｂが突出している。そして、該アンテナカバー１１ｂの裏面にはアンテナ収納室１１ｃがある。
【００５７】
ここで、アンテナカバー１１ｂは、前述のカメラ本体１の金属材料からなる外装部（以下、金属外装部と称す）とは異なり、樹脂材料で形成されている。これは、アンテナ１０１による外部機器との無線通信が遮られることを防ぐためである。
【００５８】
尚、本実施形態では、アンテナカバー１１ｂの材質は撮像装置としての外観を損ねずに、金属材料のように無線通信を遮るようなものでなければどのようなものを用いてもよい。
【００５９】
アンテナ収納室１１ｃからは、シンクロ接点１１ａに向かってアンテナ基板１０１ａの通路となる溝部１１ｄが形成されている。
【００６０】
前述したアンテナ１０１は、チップ状のアンテナであり、信号線の役割を有しフレキシブルに変形させる事が可能なアンテナ基板１０１ａと接続されている。
【００６１】
アンテナ基板１０１ａのうち、アンテナ１０１が設けられている位置の裏面側は、アクセサリーシューベース１１のアンテナ収納室１１ｃに不図示の接着部材によって接着固定されている。
【００６２】
尚、本実施形態においてアンテナ１０１は、無線通信の通信性能（以下、通信性能と称す）を低下させないために、アンテナカバー１１ｂ内において、アンテナ収納室１１ｃ内の上部に設けられている。
【００６３】
また、反対側は、アクセサリーシューベース１１の溝部１１ｄに嵌り、前述の開口１ｂを通過して、カメラ本体１の内部に設けられた送受信回路１００に接続される。
【００６４】
送受信回路１００は、画像データや各種情報を無線通信によって外部機器へと送受信する際の無線通信手段である。
【００６５】
尚、本実施形態において、送受信回路１００は、アンテナ１０１とは異なりカメラ本体１から突出した位置には設けられていない。即ち、送受信回路１００は金属外装部の内部に設けられている。
【００６６】
これは、送受信回路１００はアンテナ１０１と比較して大きいため、アンテナカバー１１ｂで保護する対象をアンテナ１０１のみにすることで、アンテナカバー１１ｂが大きくなってしまうことを防止するためである。
【００６７】
また、実際に電波の送受信をおこなうアンテナ１０１のみを金属外装部より突出した位置に設けることで、通信性能の低下は抑制することができる。
【００６８】
そして、アンテナ基板１０１ａを、カメラ本体１の内部及び外部に通過させるための開口は、シンクロ接点１１をカメラ本体１の内部へと通過させるための開口１ｂと併用するので、カメラ本体１に新たな加工をする必要はない。
【００６９】
従って、本実施形態では、コストを増やさずにアンテナカバー１１ｂの大きさを極力小さくすることが出来る。
【００７０】
アクセサリーシュー１２は金属材料で形成され、例えば、不図示の外付けストロボだけでなく、アクセサリーシュー１２に嵌め込み可能な形状を持つ種々のアクセサリーを取り付ける事ができる。
【００７１】
尚、アクセサリーシュー１２の部材としては、導電性が高く、前述したアンテナカバー１１ｂの樹脂材料よりも強度が高い材料を用いることが望ましい。
【００７２】
これは、例えば誤ってカメラ本体１が地面などに落下してしまった場合であっても、アクセサリーシュー１２をアンテナカバー１１ｂよりも先に地面と接触させ、アンテナカバー１１ｂを落下の衝撃から保護するために十分な強度を得るためである。尚、この点については後述する。
【００７３】
また、アクセサリーシュー１２には、シンクロ接点部１１ａを露出させるための開口１２ａと、その周囲４か所にはビス穴１２ｅが開けられている。また、不図示の外付けストロボが取り付けられた際には、ストロボ側から突出するストッパーピンが入り込む穴１２ｂも設けられている。ビス群２８はアクセサリーシュー１２のビス穴１２ｅ、アクセサリーシューベース１１のビス穴１１ｅ、カメラ本体１の外装部のビス穴１ｅを貫通してカメラ本体１の内部側に設けられた座金１４のビス穴１４ｅにビス締めされる。
【００７４】
以下、図６を参照してカメラ本体１の上部における各部の配置関係を説明する。尚、図６は、本実施形態に係る撮像装置の上部の中央断面図を例示的に示した図である。
【００７５】
ペンタプリズム２９は、クイックリターンミラー６によって反射された撮影光束を正立正像に変換反射する光学部材である。従って、ユーザーはペンタプリズム２９で正立正像に変換された被写体像を、接眼レンズ群３０を介して接眼窓１９ａで観察することができる。
【００７６】
図６より、本実施形態ではカメラ本体１の上部のうち、一点鎖線〈１〉で示したアクセサリーシュー１２の頂点部（最外部）より、二点鎖線〈２〉で示したアンテナカバー１１ｂの頂点部（最外部）の方が下部（低い位置）に配置されている。
【００７７】
一方で、短い破線〈３〉で示した金属外装部の最も高い位置より、先に示した二点鎖線〈２〉の方が上部（高い位置）となる。
【００７８】
即ち、カメラ本体１の金属外装部よりも、アンテナカバー１１ｂはカメラ本体１に対して突出した（高い）位置に配置されており、アクセサリーシュー１２より突出していない（低い）位置に配置されている。
【００７９】
尚、短い破線〈３〉は、アクセサリーシューベース１１の下面でもある。また、カメラ本体１の金属外装部の最も高い位置を示すラインは、短い破線〈３〉ではなく、短い破線〈３’〉に示すカメラ本体１の外観構成面のラインとしてもよい。
【００８０】
また、アンテナカバー１１ｂがアクセサリーシュー１２の全ての部分より突出している必要はない。本実施形態において、少なくともアクセサリーシュー１２の最外部であるアクセサリーシュー１２の頂点部がアンテナカバー１１ｂより突出した位置に配置されていればよい。
【００８１】
従って、カメラ本体１が誤って落下しまったとしても、樹脂材料で構成されているアンテナカバー１１ｂより、金属材料からなるアクセサリーシュー１２が先に地面に接触するため、アンテナカバー１１ｂおよび内部のアンテナ１０１を保護する事が出来る。
【００８２】
また、アンテナ１０１がカメラ本体１の金属外装部の最も高い位置を示すラインより上部にあるので、無線通信に用いる電波が金属外装部に遮られることもなく、通信性能の低下を抑制することができる。
【００８３】
尚、長い破線〈４〉で示したような、アクセサリーシューベース１１の最も高い位置である１１ｆから金属外装部に対する接線より、アンテナカバー１１ｂが突出しないように構成してもよい。
【００８４】
また、アクセサリーシュー１２の前方に突出した部分の上部から金属外装部に対する接線より、アンテナカバー１１ｂが突出しないように構成しても良い。
【００８５】
この場合、アンテナカバー１１ｂはカメラ本体１の各部に比べて、カメラ本体１の外部に突出している部分が少なくなるため、アンテナカバー１１ｂの保護性能は更に向上する。
【００８６】
次に、図７を参照してカメラ本体１の正面から見た場合のカメラ本体１の上部を構成する各部の配置関係を説明する。尚、図７は本実施形態に係る撮像装置の上部から見た正面図を例示的に示した図である。
【００８７】
本実施形態では、アクセサリーシューベース１１上と一体的に設けられたアンテナカバー１１ｂの横幅Ｂは、アクセサリーシュー１２の横幅Ａより狭く構成されている。
【００８８】
これは、カメラ本体１が地面などに落下してしまった場合に、樹脂材料で形成されたアンテナカバー１１ｂより、金属材料で形成されたアクセサリーシュー１２を先に接触させるためである。
【００８９】
以上の構成を有することで、カメラ本体１が誤って落下してしまった場合でも、アンテナカバー１１ｂ及びアンテナカバー１１ｂの内部に設けられたアンテナ１０１を保護することが出来る。
【００９０】
例えば、アクセサリーシュー１２とアンテナカバー１１ｂの横幅がそれぞれ同じである場合、カメラ本体１の上部が地面に対して斜め下向きに落下することで地面とアンテナカバー１１ｂが接触してしまう可能性がある。
【００９１】
そのような場合であっても、アンテナカバー１１ｂの幅Ｂを金属材料で形成されるアクセサリーシュー１２の幅Ａよりも狭くすることで、幅Ａと幅Ｂの差分だけ地面と接触する可能性が低下する。
【００９２】
また、たとえアンテナカバー１１ｂと地面が接触してしまったとしても、アクセサリーシュー１２の幅Ａが広い分だけ、その接触による衝撃を緩和することが可能となる。
【００９３】
以上説明したように、本実施形態に係る撮像装置によれば、アンテナ１０１を内蔵したアンテナカバー１１ｂを、無線通信の通信性能を低下させることを抑制するようにカメラ本体１に配置することができる。
【００９４】
また、カメラ本体１を誤って落下させてしまった場合であっても、アンテナカバー１１ｂが破損することを抑制し、アンテナカバー１１ｂの内部に設けられたアンテナ１０１を落下の衝撃から保護することができる。
【００９５】
尚、本実施形態では、アンテナカバー１１ｂの全ての部分が、アンテナカバー１１ｂの前面部分の金属外装部よりも上部に配置されているがこれに限定されるものではない。金属外装部による電波の遮断を考慮すると、アンテナカバー１１ｂの全ての部分が、必ずしもカメラ本体１の金属外装部よりも上部に配置されている必要はない。
【００９６】
例えば、ある程度の通信性能は保障するために、アンテナカバー１１ｂの一部の面、特に、アンテナ１０１が設けられている面より上側に金属外装部を配置するような構成であってもよい。
【００９７】
この場合、カメラ本体１の金属外装部に対して、外部に露出しているアンテナカバー１１ｂの部分は前述の場合と比べて少なくなる。
【００９８】
従って、カメラ本体１が誤って地面などに落下してしまうような場合のアンテナカバー１１ｂの保護性能は更に向上する。
【００９９】
そして、外部に露出しているアンテナカバー１１ｂの部分が減ることで、撮像装置外観の高級感を向上させつつ、撮像装置全体の小型化を実現することもできる。
【０１００】
（第２実施形態）
前述した第１実施形態では、カメラ本体１の上部に無線通信用のアンテナを配置するような構成について説明した。
【０１０１】
本実施形態では、カメラ本体１の背面側の上方に形成されたアイピースカバー１９の周辺に無線通信用のアンテナを配置するような構成について図８を参照して説明する。
【０１０２】
図８は、本実施形態に係る撮像装置の上方部分の中央断面図を例示的に示した図である。尚、前述した第１実施形態の図６と共通する部品は同じ記号で示している。
【０１０３】
以下、カメラ本体１に対して、アイピースカバー１９が設けられている側を被写体から遠い位置（方向）とし、アイピースカバー１９が設けられている側と反対を被写体に近い位置（方向）として説明する。
【０１０４】
接眼マスク部材２０１は、接眼窓１９ａのゴーストをカットするためのマスク部材であり接眼レンズ群３０の中に配置されている。
【０１０５】
アンテナ２０１はチップ状のアンテナであり、フレキシブルに変形させる事が可能であって、信号線の役割を有するアンテナ基板２０１ａと接続されている。尚、アンテナ２０１は前述した第１実施形態のアンテナ１０１と同様のものであるので説明は省略する。
【０１０６】
アンテナ基板２０１ａのうち、アンテナ２０１が設けられている側の裏面は、接眼マスク部材２０２の背面方向（被写体から遠い方向）に不図示の接着部材によって接着固定されている。
【０１０７】
また、反対側は接眼マスク部材２０２を通過して、カメラ本体１の内部に設けられた送受信回路２００に接続される。尚、送受信回路２００は前述した第１実施形態の送受信回路１００と同様のものであるの説明は省略する。
【０１０８】
樹脂材料で形成されたアイピースカバー１９は、本実施形態におけるアクセサリー取付け部であり、前述したようにアイカップ３００を取り付け可能である。
【０１０９】
尚、本実施形態において、アイピースカバー１９に取り付け可能なものであれば、例えば、視度補正用のアクセサリーやアンチフォグ用のアクセサリーをアイピースカバー１９に取り付けることが可能である。
【０１１０】
アンテナカバー１９ｃは、アイピースカバー１９の近傍に設けられ、アンテナ２０１を覆うことで、アンテナ２０１の保持と保護をおこなうアンテナ保護部である。
【０１１１】
尚、本実施形態ではアンテナカバー１９ｃとアイピースカバー１９とは一体的に形成されているがこれに限定されるものではない。例えば、それぞれが独立して設けられるような構成であってもよい。
【０１１２】
図８より、一点鎖線〈１〉に示すアイピースカバー１９の最背面（最外部）より、二点鎖線〈２〉に示すアンテナカバー１９ｃの最背面（最外部）の方がカメラ本体１に対して外側へ突出していない（被写体に近い）位置に配置されている。
【０１１３】
一方で、二点鎖線〈２〉に示すアイピースカバー１９のアンテナカバー１９ｃは、短い破線〈３〉に示すカメラ本体１の金属外装部の最も突出した部分よりカメラ本体１に対して外側へ突出した（被写体から遠い）位置に配置されている。
【０１１４】
即ち、アンテナ２０１周辺各部の配置は、金属外装部、アンテナカバー１９ｃ、アイピースカバー１９の順に、カメラ本体１に対して突出した（被写体から遠い）位置に配置されている。
【０１１５】
尚、本実施形態においては、少なくともアイピースカバー１９の最外部であるアイピースカバー１９の最背面が、アンテナカバー１９ｃが設けられたアイピースカバー１９の位置より突出するように配置されていればよい。
【０１１６】
従って、アンテナ２０１が設けられているアンテナカバー１９ｃが金属外装部より突出した位置に配置されているため、通信に用いる電波が金属外装部に遮られることもなく、通信性能の低下を抑制することができる。
【０１１７】
また、カメラ本体１が地面などに落下してしまったとしても、アンテナカバー１９ｃより先に金属外装部、又はアイピースカバー１９が地面と接触するように配置されているため、アンテナカバー１９ｃおよび内部のアンテナ２０１を保護する事が出来る。
【０１１８】
ここで、アイピースカバー１９は樹脂材料で形成されているが、アイピースカバー１９にはアイカップ３００を取り付けられている事が多いため、弾力性に富むアイカップ３００が落下の衝撃を弱めてくれる役割を果たす。
【０１１９】
従って、カメラ本体１が背面側から地面などに落下したとしても、アイカップ３００が緩衝材としての役割を果たし、アンテナカバー１９ｃとアンテナ２０１を落下の衝撃から保護することができる。
【０１２０】
以上説明したように、本実施形態に係る撮像装置によれば、アンテナ２０１を内蔵したアンテナカバー１９ｃを、無線通信の通信性能を低下させることを抑制するようにカメラ本体１に配置することができる。
【０１２１】
また、カメラ本体１を誤って落下させてしまった場合であっても、アンテナカバー１９ｃが破損することを抑制し、アンテナカバー１９ｃの内部に設けられたアンテナ２０１を落下の衝撃から保護することができる。
【０１２２】
尚、本実施形態において、アンテナカバー１９ｃの全ての部分が金属外装部より突出した位置に設けられているがこれに限定されるものではない。
【０１２３】
例えば、少なくともアンテナ２０１が金属外装部よりから突出した（被写体から遠い）位置に配置されるような構成であればよい。
【０１２４】
また、アイピースカバー１９若しくはアイカップ３００の突出した位置から、アイピースカバー１９が設けられた方向の金属外装部への接線の内側にアンテナカバー１９ｃが配置されるような構成でもよい。
【０１２５】
この場合、アンテナカバー１９ｃはカメラ本体１の各部に比べて、カメラ本体１の外部に突出している部分が少なくなる。
【０１２６】
従って、カメラ本体１が誤って地面などに落下してしまうような場合のアンテナカバー１９ｃの保護性能は更に向上する。
【０１２７】
また、通信性能が低下することを防ぐために、少なくともアンテナカバー１９ｃ内に設けられたアンテナ２０１を、金属外装部よりも突出した位置となるように配置するような構成であってもよい。
【０１２８】
以上、本発明の好ましい実施形態について説明したが、本発明はこれらの実施形態に限定されず、その要旨の範囲内で種々の変形及び変更が可能である。
【符号の説明】
【０１２９】
１  カメラ本体（撮像装置）
１１ｂ，１９ｃ  アンテナカバー（アンテナ保護部）
１２  アクセサリーシュー（アクセサリー取付け部）
１９  アイピースカバー（アクセサリー取付け部）
１０１，２０１  アンテナ（アンテナ）
【図１】
2014240898.tif 000003
【図２】
2014240898.tif 000004
【図３】
2014240898.tif 000005
【図４】
2014240898.tif 000006
【図５】
2014240898.tif 000007
【図６】
2014240898.tif 000008
【図７】
2014240898.tif 000009
【図８】
2014240898.tif 000010